(57)【要約】【課題】医用画像読取システムの電源系統に異常が発生したとき、読取画像の消失を防止する。【解決手段】ＡＣ電源１の交流電圧のレベルが所定値を下回ると、停電が発生したと判断され、ＵＰＳ２から管理装置３に停電信号が送信され、管理装置３から医用画像読取装置５及び制御装置４に停電信号が送信される。医用画像読取装置５では、停電信号が受信されると、現在の画像読取動作のみが続行され、その画像読取動作の終了後は、画像読取不可状態になる。停電時に、ＵＰＳ２の内蔵バッテリの残量が所定値を下回ると、医用画像読取装置５及び制御装置４に、管理装置３がシャットダウン動作に入る旨が通知される。【選択図】図１
2005109751.tif 000002
【特許請求の範囲】
【請求項１】
医用撮影装置によって撮影された放射線画像を読み取る画像読取装置と、前記画像読取装置による読取動作を管理する管理装置と、前記管理装置の電源系統に異常が発生したときに当該管理装置に電源を供給する無停電電源装置と、を備える医用画像読取システムであって、
前記管理装置は、
電源系統に異常が発生した場合、前記画像読取装置に、管理装置が前記無停電電源装置の内蔵バッテリにより動作する旨を通知し、
前記画像読取装置は、
前記管理装置から、前記無停電電源装置の内蔵バッテリにより動作する旨が通知されると、現在の画像読取動作が終了した後に、画像読取不可状態になるように制御することを特徴とする医用画像読取システム。
【請求項２】
前記管理装置は、
前記無停電電源装置の内蔵バッテリの残量が所定値を下回った場合に、前記画像読取装置に、管理装置がシャットダウン動作に入る旨を通知して、シャットダウン動作を開始することを特徴とする請求項１に記載の医用画像読取システム。
【発明の詳細な説明】
【技術分野】
【０００１】
本発明は、医用画像読取システムに関する。
【背景技術】
【０００２】
近年、医療の分野においては、患者に対する病気診断のために、Ｘ線等の放射線を利用して医用画像撮影を行い、撮影された医用画像を読み取ってデジタル画像として取得する医用画像読取システムが利用されている。
【０００３】
医用画像読取システムは、カセッテに蓄積された放射線画像（Ｘ線画像）を読み取ってデジタル画像を取得する医用画像読取装置と、医用画像読取装置から得られたデジタル画像の表示、画像処理等を行う制御装置と、制御装置から送信された画像読取条件の登録、医用画像読取装置における読取状況の登録等を行う管理装置から構成されている。制御装置は、カセッテ毎に画像読取条件を設定して、管理装置に送信する。医用画像読取装置は、管理装置からカセッテ毎に設定された画像読取条件を取得し、その取得された画像読取条件に従って、カセッテに蓄積された放射線画像を読み取り、読取状況を管理装置に送信し、読み取られた画像データを制御装置に送信する。このように、医用画像読取システムを構成する管理装置、医用画像読取装置及び制御装置は、互いに連動して動作する。
【０００４】
ところで、サーバや業務用のＰＣ（Personal Computer）等のデータ処理システムでは、従来から、停電等によりＡＣ（Alternating Current）電源（商用電源）に異常が発生した時、ＡＣ電源から内蔵バッテリへの切り替えを自動的に行って、接続された電子機器への電源供給を可能にした無停電電源装置（以下、ＵＰＳ（Uninterruptible Power Supply）という。）が利用されている（例えば、特許文献１参照。）。医用画像読取システムにおいても、医用画像読取装置によって読み取られた画像データの消失やシステムクラッシュ等を防止するため、ＵＰＳが不可欠になっている。
【特許文献１】特開平１１−２５９１８５号公報
【発明の開示】
【発明が解決しようとする課題】
【０００５】
しかしながら、従来の医用画像読取システムでは、停電等によって電源系統に異常が発生したときに、管理装置のシャットダウン動作と、医用画像読取装置における読取動作のタイミングが重なってしまうと、読取中の画像データが消失してしまう可能性があった。
【０００６】
本発明の課題は、医用画像読取システムの電源系統に異常が発生したとき、読取画像の消失を防止することである。
【課題を解決するための手段】
【０００７】
上記課題を解決するため、請求項１に記載の発明は、医用撮影装置によって撮影された放射線画像を読み取る画像読取装置と、前記画像読取装置による読取動作を管理する管理装置と、前記管理装置の電源系統に異常が発生したときに当該管理装置に電源を供給する無停電電源装置と、を備える医用画像読取システムであって、前記管理装置は、電源系統に異常が発生した場合、前記画像読取装置に、管理装置が前記無停電電源装置の内蔵バッテリにより動作する旨を通知し、前記画像読取装置は、前記管理装置から、前記無停電電源装置の内蔵バッテリにより動作する旨が通知されると、現在の画像読取動作が終了した後に、画像読取不可状態になるように制御することを特徴としている。
【０００８】
請求項２に記載の発明は、請求項１に記載の発明において、前記管理装置は、前記無停電電源装置の内蔵バッテリの残量が所定値を下回った場合に、前記画像読取装置に、管理装置がシャットダウン動作に入る旨を通知して、シャットダウン動作を開始することを特徴としている。
【発明の効果】
【０００９】
本発明によれば、管理装置の電源系統に異常が発生した場合、画像読取装置は、現在の画像読取動作が終了した後に、画像読取不可状態になるように制御することにより、管理装置のシャットダウン動作と、画像読取装置の画像読取動作のタイミングが重なることがなくなり、読取画像の消失を防止することができる。
【００１０】
また、管理装置がシャットダウン動作に入る前に、画像読取装置に、管理装置がシャットダウン動作に入る旨を通知することにより、画像読取装置での読取画像の消失を確実に防止することができる。
【発明を実施するための最良の形態】
【００１１】
以下、図を参照して、本発明の実施の形態について詳細に説明する。
まず、本実施の形態における構成について説明する。
【００１２】
図１は、本発明を適用した実施の形態の医用画像読取システム１００の全体構成を示す図である。医用画像読取システム１００は、図１に示すように、ＡＣ（Alternating Current）電源１、ＵＰＳ２、管理装置３、制御装置４、医用画像読取装置５により構成されている。ＵＰＳ２と管理装置３は、電源ケーブルＣ１及び通信ケーブルＣ２を介して接続されている。管理装置３、制御装置４及び医用画像読取装置５は、通信ネットワークＮを介して相互に接続されている。
【００１３】
通信ネットワークＮは、専用線や既存の一般公衆回線を利用して構築された通信ネットワークであり、ＬＡＮ（Local Area Network）、ＷＡＮ（Wide Area Network）等の様々な回線形態を適用することが可能である。通信ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。但し、情報管理の信頼性の観点から、特定のユーザのみがアクセス可能なセキュリティを確保しているネットワークであることが望ましい。
【００１４】
なお、図１では、１台の管理装置３に、通信ネットワークＮを介して、制御装置４が２台、医用画像読取装置５が２台接続されている場合を示しているが、１台の管理装置３に接続される制御装置４、医用画像読取装置５の台数は特に限定されない。
【００１５】
ＵＰＳ２は、医用画像読取システム１００の予備電源装置である。ＵＰＳ２は、通常時（ＡＣ電源１に異常が発生していない時）、ＡＣ電源１を管理装置３に供給する。また、ＵＰＳ２は、ＡＣ電源１からＵＰＳ２に入力される交流電圧が所定レベルより低くなった場合、停電の発生と判断し、管理装置３に停電信号を送信し、内蔵バッテリ（図２のバッテリ２２）の電源を管理装置３に供給する。また、ＵＰＳ２は、ＡＣ電源１のトラブル時（例えば、停電時）、バッテリ２２の残量を監視し、バッテリ２２の残量が所定値を下回った場合には、バッテリ２２の使用可能時間（あと何分後にバッテリ電源がなくなるか）を通知するシャットダウン信号を管理装置３に送信する。
【００１６】
管理装置３は、通常時、ＵＰＳ２を介して供給されるＡＣ電源１で動作し、制御装置４から送信された画像読取条件の登録、医用画像読取装置５における読取状況の登録を行う。また、管理装置３は、停電時にＵＰＳ２から停電信号が受信されると、その停電信号を制御装置４及び医用画像読取装置５に送信することによって、管理装置３がＵＰＳ２の内蔵バッテリ（図２のバッテリ２２）により動作する旨を通知する。更に、管理装置３は、停電時にＵＰＳ２から、バッテリ２２の使用可能時間を通知するシャットダウン信号を受信すると、そのシャットダウン信号を制御装置４及び医用画像読取装置５に送信し、シャットダウン動作を開始する。
【００１７】
図１において、カセッテ６は、放射線エネルギーの一部を蓄積する輝尽性蛍光体シートを内蔵している。カセッテ６には、医用撮影装置（図示略）での放射線撮影によって得られた被検体の放射線画像情報が蓄積される。また、カセッテ６の表面には、ＩＤ情報として、カセッテを識別するためのバーコードが貼付されている。
【００１８】
制御装置４は、バーコードリーダ（図示略）に接続されており、バーコードリーダから、放射線画像が蓄積されたカセッテ６のＩＤ情報を取得し、取得されたカセッテ６のＩＤ情報に対応付けて、医用画像読取装置５における画像読取条件を設定し、管理装置３に送信する。また、制御装置４は、医用画像読取装置５から受信された画像データを表示モニタ（図示略）に表示したり、その受信された画像データに対する画像処理を行う。また、制御装置４は、管理装置３からシャットダウン信号を受信すると、表示モニタ（図示略）又は音声出力装置（図示略）により、管理装置３がシャットダウン動作に入る旨を報知する。
【００１９】
医用画像読取装置５は、管理装置３から、カセッテ６の画像読取条件を取得し、その取得された画像読取条件に従って、カセッテ６に蓄積された放射線画像を読み取って、読取画像のデータを制御装置４に送信する。即ち、医用画像読取装置５は、カセッテ６の輝尽性蛍光体シートに励起光を照射し、これによりシートから発光された蛍光を光電変換した後Ａ／Ｄ変換し、医用画像データとして制御装置４に送信する。
【００２０】
また、医用画像読取装置５は、管理装置３から、管理装置３がＵＰＳ２のバッテリ２２により動作する旨を通知する停電信号を受信すると、現在の画像読取動作が終了した後に、次の読取動作を拒絶して画像読取不可状態になるように制御する。また、医用画像読取装置５は、管理装置３からシャットダウン信号を受信すると、表示モニタ（図示略）又は音声出力装置（図示略）により、管理装置３がシャットダウン動作に入る旨を報知する。
【００２１】
次に、図１のＵＰＳ２の構成について説明する。図２に、ＵＰＳ２の回路構成を示す。ＵＰＳ２は、図２に示すように、コンバータ２０、インバータ２１、バッテリ２２、制御部２３により構成される。コンバータ２０の入力段は、交流入力端子に接続され、コンバータ２０の出力段には、インバータ２１の入力段及びバッテリ２２が接続される。インバータ２１の出力段は、交流出力端子に接続される。
【００２２】
コンバータ２０は、通常時、ＡＣ電源１から入力された交流電圧を整流して直流電圧に変換する。コンバータ２０から出力された直流電圧は、インバータ２１に入力されるとともにバッテリ２２に入力され、バッテリ２２が充電される。
【００２３】
インバータ２１は、通常時、コンバータ２０から入力された直流電圧を交流電圧に変換する。また、インバータ２１は、ＡＣ電源１のトラブル時（例えば、停電時）、バッテリ２２から入力された直流電圧を交流電圧に変換する。インバータ２１から出力された交流電圧は、交流出力端子に接続された電源ケーブルＣ１を介して管理装置３に供給される。
【００２４】
制御部２３は、常時、ＡＣ電源１からコンバータ２０に入力される交流電圧を監視しており、交流電圧のレベルが所定値を下回った場合は、停電が発生したと判断し、停電信号を通信ケーブルＣ２を介して管理装置３に送信する。また、制御部２３は、ＡＣ電源１のトラブル時、バッテリ２２の残量を監視し、バッテリ２２の残量が所定値を下回った場合には、通信ケーブルＣ２を介してシャットダウン信号を管理装置３に送信する。
【００２５】
次に、図１の管理装置３の構成について説明する。図３に、管理装置３の主要部構成を示す。管理装置３は、図３に示すように、制御部３０、入力部３１、表示部３２、通信制御部３３、ＲＡＭ（Random Access Memory）３４、記憶部３５、Ｉ／Ｏ部３６により構成され、各部はバス３７により接続されている。
【００２６】
制御部３０は、ＣＰＵ（Central Processing Unit）等により構成され、記憶部３５に記憶されているシステムプログラムや各種制御プログラムを読み出してＲＡＭ３４に展開し、これらのプログラムに従って管理装置３の各部を制御する。以下、制御部３０の制御動作について説明する。
【００２７】
制御部３０は、制御装置４から送信されたカセッテ毎の画像読取条件を記憶部３５に登録する。また、制御部３０は、医用画像読取装置５から送信された読取動作の状況を記憶部３５に登録する。更に、制御部３０は、停電時にＵＰＳ２から停電信号が受信されたとき、その停電信号を制御装置４及び医用画像読取装置５に送信する。更に、制御部３０は、ＵＰＳ２から、バッテリ２２の使用可能時間を通知するシャットダウン信号が受信されたとき、そのシャットダウン信号を制御装置４及び医用画像読取装置５に送信し、シャットダウン動作を行う。
【００２８】
入力部３１は、文字入力キー、テンキー、カーソルキー及び各種機能キーを備えたキー入力装置や、マウス等のポインティングデバイス等を備え、キー入力装置やポインティングデバイスの操作による操作信号を制御部３０に出力する。
【００２９】
表示部３２は、ＬＣＤ（Liquid Crystal Display）、ＣＲＴ（Cathode Ray Tube）等の表示画面を備え、制御部３０から入力される表示信号に従って所要の表示処理を行う。
【００３０】
通信制御部３３は、モデム、ＬＡＮアダプタ、ルータ、ＴＡ（Terminal Adapter）等によって構成され、電話回線、専用線、ＩＳＤＮ回線等の通信ネットワークＮを介して、制御装置４、医用画像読取装置５等の外部装置と通信を行うための制御を行う。
【００３１】
ＲＡＭ３４は、制御部３０により実行される各種制御プログラムや各種アプリケーションプログラムをプログラム格納エリアに展開する。また、ＲＡＭ３４は、入力データ及び上記の制御処理プログラムの実行時に生じる処理結果等のデータを、ワークエリアに一時的に格納する。
【００３２】
記憶部３５は、磁気的、光学的記録媒体又は半導体等の不揮発性メモリで構成されており、制御部３０で実行される各種プログラム、これらのプログラムで必要とされるデータ及びプログラムの処理結果等を記憶する。
【００３３】
Ｉ／Ｏ部３６は、通信ケーブルＣ２を介してＵＰＳ２と各種信号の送受信を行うためのインターフェイスである。
【００３４】
次に、図４のフローチャートを参照して、本実施の形態の医用画像読取システム１００における動作について説明する。
【００３５】
管理装置３は、ＵＰＳ２を介して供給されるＡＣ電源１により動作している（ステップＳ１）。医用画像読取装置５では、管理装置３からカセッテ６の画像読取条件が取得され、その取得された画像読取条件に従って、カセッテ６に蓄積された放射線画像の読取動作が行われている（ステップＳ２）。ＵＰＳ２では、常時、ＡＣ電源１からコンバータ２０に入力される交流電圧のレベルが監視されている（ステップＳ３）。
【００３６】
ステップＳ３において、ＡＣ電源１の交流電圧のレベルが所定値を下回ったと判定された場合（ステップＳ３；ＹＥＳ）、停電が発生したと判断され、ＵＰＳ２から管理装置３に停電信号が送信され（ステップＳ４）、管理装置３から医用画像読取装置５及び制御装置４に停電信号が送信される（ステップＳ５）。医用画像読取装置５及び制御装置４に停電信号を送信することによって、管理装置３がＵＰＳ２のバッテリ２２で動作する旨が通知される。
【００３７】
管理装置３では、ＵＰＳ２から停電信号が受信されると、管理装置３に供給される電源がＵＰＳ２のバッテリ２２に切り替わり、ＵＰＳ２から供給されるバッテリ２２による動作が開始される（ステップＳ６）。医用画像読取装置５では、管理装置３から停電信号が受信されると、現在の画像読取動作のみ続行され、その画像読取動作の終了後は、次のカセッテの読取動作を拒絶して画像読取不可状態となる（ステップＳ７）。
【００３８】
停電が始まると、ＵＰＳ２では、ＡＣ電源１の交流電圧のレベルが監視されるとともに（ステップＳ８）、バッテリ２２の残量が監視される（ステップＳ９）。停電時、ＡＣ電源１の交流電圧のレベルが所定値を上回り、ＡＣ電源１が復帰すると（ステップＳ８；ＹＥＳ）、管理装置３に、ＡＣ電源１が復帰したことを示す電源復帰信号が送信され（ステップＳ１５）、管理装置３から医用画像読取装置５及び制御装置４にその電源復帰信号が送信される（ステップＳ１６）。
【００３９】
停電時、バッテリ２２の残量が所定値を下回った場合には（ステップＳ９；ＹＥＳ）、バッテリ２２の使用可能時間（あと何分後にバッテリ電源がなくなるか）を通知するシャットダウン信号が管理装置３に送信され（ステップＳ１０）、管理装置３から医用画像読取装置５及び制御装置４にそのシャットダウン信号が送信される（ステップＳ１１）。
【００４０】
医用画像読取装置５及び制御装置４では、管理装置３からシャットダウン信号が受信されると、表示モニタ又は音声出力装置により、管理装置３の電源がシャットダウン動作に入る旨が報知される（ステップＳ１２）。管理装置３では、ＵＰＳ２からシャットダウン信号が受信されると、データ保護のためにシャットダウン動作に入る（ステップＳ１３）。
【００４１】
ＵＰＳ２では、管理装置３へのシャットダウン信号送信後に、ＡＣ電源１の交流電圧のレベルが所定値を上回り、ＡＣ電源１が復帰すると（ステップＳ１４；ＹＥＳ）、管理装置３に電源復帰信号が送信され（ステップＳ１５）、管理装置３から医用画像読取装置５及び制御装置４に電源復帰信号が送信される（ステップＳ１６）。
【００４２】
管理装置３では、ＵＰＳ２から電源復帰信号が受信されると、管理装置３に供給される電源がＡＣ電源１に切り替わり、ＡＣ電源１による動作が再開される（ステップＳ１７）。医用画像読取装置５では、管理装置３から電源復帰信号が受信されると、画像読取が可能な状態になる（ステップＳ１８）。
【００４３】
以上のように、本実施の形態の医用画像読取システム１００によれば、ＡＣ電源１のトラブル時（例えば、停電時）、医用画像読取装置５は、現在の画像読取動作のみ続行し、その画像読取動作の終了後は、次のカセッテの読取動作を拒絶して画像読取不可状態とすることにより、管理装置３のシャットダウン動作と、医用画像読取装置５の画像読取動作のタイミングが重なることがなくなり、医用画像読取装置５における読取画像の消失を防止することができる。また、管理装置３がシャットダウン動作に入る前に、医用画像読取装置５及び制御装置４に、管理装置３がシャットダウン動作に入る旨を通知することにより、確実に読取画像の消失を防止することができる。
【００４４】
なお、本実施の形態における記述内容は、本発明の趣旨を逸脱しない範囲で適宜変更可能である。
【図面の簡単な説明】
【００４５】
【図１】本発明を適用した実施の形態の医用画像読取システム１００の全体構成を示す図。
【図２】図１のＵＰＳ２の回路構成を示すブロック図。
【図３】図１の管理装置３の主要部構成を示すブロック図。
【図４】医用画像読取システム１００における動作を示す図。
【符号の説明】
【００４６】
１  ＡＣ電源
２  ＵＰＳ
２０  コンバータ
２１  インバータ
２２  バッテリ
２３  制御部
３  管理装置
３０  制御部
３１  入力部
３２  表示部
３３  通信制御部
３４  ＲＡＭ
３５  記憶部
３６  Ｉ／Ｏ部
４  制御装置
５  医用画像読取装置
６  カセッテ
１００  医用画像読取システム
Ｃ１  電源ケーブル
Ｃ２  通信ケーブル
【図１】
2005109751.tif 000003
【図２】
2005109751.tif 000004
【図３】
2005109751.tif 000005
【図４】
2005109751.tif 000006